(57)【特許請求の範囲】
【請求項１】
クロスフローファンと、
前記クロスフローファンを収容し、前記クロスフローファンを一の径方向に挟んで対向配置された第１及び第２の側壁を有する筐体と、
前記クロスフローファンの回転軸線を含み前記一の径方向に延在する仮想平面を基準平面としたときに、
前記第１の側壁において、前記基準平面で区分けされる一方の空間領域に形成された第１の開口部と、
前記第２の側壁において、前記基準平面で区分けされる他方の空間領域に形成された第２の開口部と、
前記クロスフローファンと前記第１の側壁との間に設定された回動軸線まわりに回動するよう支持され、その回動によって前記クロスフローファンに対し、前記他方の空間領域で離接する外凸で湾曲した第１の湾曲部及び前記一方の空間領域において前記第１の湾曲部とは逆に接離する第１の舌部を有する第１の可動ケーシングと、
前記クロスフローファンと前記第２の側壁との間に設定された回動軸線まわりに回動するよう支持され、その回動によって、前記クロスフローファンに対し、前記一方の空間領域で離接する外凸で湾曲した第２の湾曲部及び前記他方の空間領域において前記第２の湾曲部とは逆に接離する第２の舌部を有する第２の可動ケーシングと、
を備え、
前記第１の可動ケーシングと前記第２の可動ケーシングとを、前記第１及び第２の湾曲部の内の一方が前記クロスフローファンに接近したときに他方が離隔するよう連動回動すると共に、その連動回動によって前記第１及び第２の開口部を通過する気体の流れ方向を反転させ、
前記筐体は、前記第１の開口部及び第２の開口部の少なくとも一方において、その近傍の内部空間を前記基準平面に沿う方向で仕切る固定ケーシングを有し、
前記第１及び第２の湾曲部の内の前記固定ケーシングと同じ前記空間領域にある湾曲部が、前記連動回動によって前記クロスフローファンに接近した状態で、前記固定ケーシングと共に前記気体の流れを案内する案内壁を形成しており、
前記固定ケーシングとして、前記近傍の内部空間を前記基準平面に沿う方向で三つ以上に仕切る複数の固定ケーシングを有し、
前記湾曲部は、前記複数の固定ケーシングの内の前記クロスフローファンに最も近い固定ケーシングと共に前記気体の流れを案内する案内壁を形成することを特徴とする送風装置。
【請求項２】
前記筐体は、前記基準平面を挟んで対向する第３及び第４の側壁を有し、
前記第１及び第２の湾曲部は、前記クロスフローファンから最も離隔した回動位置で、それぞれ前記第３及び第４の側壁と共に前記気体の流れを案内する案内壁を形成することを特徴とする請求項１記載の送風装置。
【発明の詳細な説明】
【技術分野】
【０００１】
本発明は、クロスフローファンを用いた送風方向を反転可能な送風装置に関する。
【背景技術】
【０００２】
クロスフローファンを用い、送風方向を反転可能とした送風装置が知られており、特許文献１に記載されている。
特許文献１に記載された送風装置は、概略、箱状ケーシングと、箱状ケーシング内に収められたクロスフローファンと、クロスフローファンを挟んで対応する位置に、外凸の弧状に形成され根本端を軸として回動可能に配置された第１及び第２の可動ケーシングとを備えている。
そして、第１及び第２の可動ケーシングの先端側を、クロスフローファンに対して一方が接近し他方が離隔するよう連動回動させることで、送風方向を反転できるようになっている。
【先行技術文献】
【特許文献】
【０００３】
【特許文献１】実開昭５０−０８２７１０号公報
【発明の概要】
【発明が解決しようとする課題】
【０００４】
特許文献１に記載された送風装置では、クロスフローファンを流れる風向を、一方向とその逆方向とに反転できる。しかしながら、クロスフローファンに対する第１及び第２の可動ケーシングの位置と姿勢、並びに、箱状ケーシングに出入りする流路は、対称ではない。
そのため、送風特性が、一の風向の送風と逆風向の送風とで異なるという点で改善の余地があった。
【０００５】
また、箱状ケーシングを出入りする空気の流れがクロスフローファンで偏向したままになっていることから、箱状ケーシングを出入りする風向が一方向（平面）に沿っていない。
そのため、送風装置を、例えば直状に配置されたダクトの途中に配置しようとすると、ダクトよりも大きな断面面積の配置スペースが必要となる、或いはダクトの位置をずらす必要が生じる。従って、施工が容易とはいえず、改善が望まれるものであった。
【０００６】
そこで、本発明が解決しようとする課題は、風向を反転しても送風特性が変わらず、施工が容易な送風装置を提供することにある。
【課題を解決するための手段】
【０００７】
上記の課題を解決するために、本発明は次の構成を有する。
１）  クロスフローファンと、
前記クロスフローファンを収容し、前記クロスフローファンを一の径方向に挟んで対向配置された第１及び第２の側壁を有する筐体と、
前記クロスフローファンの回転軸線を含み前記一の径方向に延在する仮想平面を基準平面としたときに、
前記第１の側壁において、前記基準平面で区分けされる一方の空間領域に形成された第１の開口部と、
前記第２の側壁において、前記基準平面で区分けされる他方の空間領域に形成された第２の開口部と、
前記クロスフローファンと前記第１の側壁との間に設定された回動軸線まわりに回動するよう支持され、その回動によって前記クロスフローファンに対し、前記他方の空間領域で離接する外凸で湾曲した第１の湾曲部及び前記一方の空間領域において前記第１の湾曲部とは逆に接離する第１の舌部を有する第１の可動ケーシングと、
前記クロスフローファンと前記第２の側壁との間に設定された回動軸線まわりに回動するよう支持され、その回動によって、前記クロスフローファンに対し、前記一方の空間領域で離接する外凸で湾曲した第２の湾曲部及び前記他方の空間領域において前記第２の湾曲部とは逆に接離する第２の舌部を有する第２の可動ケーシングと、
を備え、
前記第１の可動ケーシングと前記第２の可動ケーシングとを、前記第１及び第２の湾曲部の内の一方が前記クロスフローファンに接近したときに他方が離隔するよう連動回動すると共に、その連動回動によって前記第１及び第２の開口部を通過する気体の流れ方向を反転させ、
前記筐体は、前記第１の開口部及び第２の開口部の少なくとも一方において、その近傍の内部空間を前記基準平面に沿う方向で仕切る固定ケーシングを有し、
前記第１及び第２の湾曲部の内の前記固定ケーシングと同じ前記空間領域にある湾曲部が、前記連動回動によって前記クロスフローファンに接近した状態で、前記固定ケーシングと共に前記気体の流れを案内する案内壁を形成しており、
前記固定ケーシングとして、前記近傍の内部空間を前記基準平面に沿う方向で三つ以上に仕切る複数の固定ケーシングを有し、
前記湾曲部は、前記複数の固定ケーシングの内の前記クロスフローファンに最も近い固定ケーシングと共に前記気体の流れを案内する案内壁を形成することを特徴とする送風装置である。
２）  前記筐体は、前記基準平面を挟んで対向する第３及び第４の側壁を有し、
前記第１及び第２の湾曲部は、前記クロスフローファンから最も離隔した回動位置で、それぞれ前記第３及び第４の側壁と共に前記気体の流れを案内する案内壁を形成することを特徴とする１）に記載の送風装置である。
【発明の効果】
【０００８】
本発明によれば、風向を反転しても送風特性が変わらず、施工が容易である、という効果が得られる。
【図面の簡単な説明】
【０００９】
【図１】図１は、本発明の実施の形態に係る送風装置の実施例である送風装置５１を説明するため外観斜視図である。
【図２】図２は、送風装置５１における可動ケーシング４，５の第１の回動位置を説明するための図１におけるＳ２−Ｓ２位置での断面図である。
【図３】図３は、送風装置５１における可動ケーシング４，５の第２の回動位置を説明するためのＳ２−Ｓ２位置での断面図である。
【図４】図４は、変形例の送風装置５２における可動ケーシング４，５の第１の回動位置を説明するためのＳ２−Ｓ２位置での断面図である。
【図５】図５は、送風装置５２における可動ケーシング４，５の第２の回動位置を説明するためのＳ２−Ｓ２位置での断面図である。
【図６】図６は、送風装置５１の送風特性を説明するためのグラフである。
【図７】図７は、送風装置５１の施工について説明するための図である。
【発明を実施するための形態】
【００１０】
本発明の実施の形態に係る送風装置を、実施例の送風装置５１により説明する。
【００１１】
図１は、送風装置５１の右前斜め上方から見た外観斜視図である。内部構造の説明のため、天板１ｂは一部のみ記載してある。
また、前後左右上下の各方向を、図１に示された矢印の方向で規定する。これらの方向は、送風装置５１の姿勢を限定するものではなく、説明のために便宜的に規定した方向である。
図２及び図３は、図１におけるＳ２−Ｓ２位置での断面図である。
【００１２】
送風装置５１は、底板１ａ，天板１ｂ，前板１ｃ，後板１ｄ，左側板１ｅ，及び右側板１ｆなる六つの側壁を有して平行六面体の箱状に組まれた筐体１を有する。各板は、金属や樹脂で形成されている。
筐体１の内部には、回転軸線ＣＬ２を前後方向とする姿勢でクロスフローファン２が収容されている。回転軸線ＣＬ２は、底板１ａと平行に前後方向に延びる仮想軸線として、筐体１の上下左右方向のほぼ中央に設定されている。
クロスフローファン２は、以下、単にファン２と称する。
【００１３】
左側板１ｅは、下部に、ほぼ前後方向全領域にわたり開口した開口部１ｅ１を有する（図２及び図３参照）。
右側板１ｆは、上部に、ほぼ前後方向の全領域にわたり開口した開口部１ｆ１を有する。
【００１４】
開口部１ｅ１と開口部１ｆ１とは、前後及び上下の開口寸法が同じとされている。従って、開口面積も同じである。
例えば、開口部１ｅ１は、左側板１ｅの下半分とされ、開口部１ｆ１は右側板１ｆの上半分とされる。上下は、クロスフローファン２の回転軸線ＣＬ２を含む仮想水平面の基準面Ｓｋで二分される。
すなわち、基準面Ｓｋは、筐体１を、上半分の空間領域と下半分の空間領域とに二分する。
例えば、底板１ａは、一方（下半分）の空間領域に在り、天板１ｂは、他方（上半分）の空間領域に在る。
【００１５】
筐体１は、実質的に、開口部１ｅ１及び開口部１ｆ１においてのみ、外部と内部空間とが連通しており、他の部分は閉じている。
【００１６】
前板１ｃと後板１ｄとの間には、仕切り板１１及び仕切り板１２が掛け渡されている。仕切り板１１，１２は、金属や樹脂で形成される。
仕切り板１１，１２は、以下、固定ケーシングとも称する。
【００１７】
仕切り板１１は、前後左右方向に延在する板状部材であって、筐体１内の開口部１ｅ１近傍の空間Ｖｅを基準面Ｓｋに沿う方向で上下に二分割して空間Ｖｅ１，Ｖｅ２とする。
仕切り板１１の左側の端部１１ａは、開口部１ｅ１の開口端位置とほぼ一致し、右側の端部１１ｂは、ファン２の回転軸線ＣＬ２よりも左側に位置している。
仕切り板１１の姿勢は、例えば底板１ａにほぼ平行とされる。
【００１８】
仕切り板１２は、前後左右方向に延在する板状部材であって、筐体１内の開口部１ｆ１近傍の空間Ｖｆを基準面Ｓｋに沿う方向で上下に二分割して空間Ｖｆ１，Ｖｆ２とする。
仕切り板１２の右側の端部１２ａは、開口部１ｆ１の開口端位置とほぼ一致し、左側の端部１２ｂは、ファン２の回転軸線ＣＬ２よりも右側に位置している。
仕切り板１２の姿勢は、例えば天板１ｂにほぼ平行とされる。
【００１９】
ファン２は、前方側は、前板１ｃに対し軸受け３によって回転軸線ＣＬ２まわりに回転自在に支持され、後方側は、後板１ｄに固定されたモータＭ１の出力軸に連結されている。
【００２０】
ファン２は、いわゆるクロスフローファンとして、径方向の縁部側において前後方向に細長く延びる羽根部２ａを、周方向に離隔して全周に亘るよう複数枚有している。
羽根部２ａは、横断面形状において、内径側から外径側に向かうに従い、周方向位置が、図２における時計回り方向にずれて外凸となる湾曲形状に形成されている。
【００２１】
ファン２は、モータＭ１により、図２における時計回り方向（矢印ＤＲ１）に回転する。すなわち、羽根部２ａの大径側端部が先頭となる方向に回転する。
モータＭ１の動作は、例えば外部に配置された制御装置（図示せず）によって制御される。
【００２２】
送風装置５１は、ファン２を挟んで左方及び右方に、それぞれ可動ケーシング４及び可動ケーシング５を有している。
可動ケーシング４，５は、横断面形状を一定として前後方向に延びるフラップ状部材であり、金属や樹脂で形成されている。
【００２３】
可動ケーシング４は、ファン２の左方側において、回動軸線ＣＬ４のまわりに回動可能に配設されている。ここで、回動軸線ＣＬ４は、基準面Ｓｋ（図２参照）よりもわずかに上方に位置して前後方向に設定されている。
また、基準面Ｓｋは、既述のように、回転軸線ＣＬ２を含み底板１ａ及び天板１ｂと平行な面（左右前後に延在する面）として仮想設定しておく。
【００２４】
可動ケーシング５は、ファン２の右方側において、回動軸線ＣＬ５のまわりに回動可能に配設されている。ここで、回動軸線ＣＬ５は、基準面Ｓｋよりもわずかに下方に位置して前後方向に設定されている。
【００２５】
すなわち、回動軸線ＣＬ４と回動軸線ＣＬ５とは、回転軸線ＣＬ２に対し平行、かつ回転軸線ＣＬ２から等距離で、回転軸線ＣＬ２のまわりに１８０°ずれて設定されている。
【００２６】
可動ケーシング４と可動ケーシング５とは、同じ部材である。
可動ケーシング４の形状は次の通りであり、可動ケーシング５も同じ形状である。
【００２７】
すなわち、可動ケーシング４は、湾曲部４ａ，軸部４ｂ，首部４ｂ１，舌部４ｃ，及びフランジ部４ｄを有する。
【００２８】
湾曲部４ａは、湾曲した横断面形状で前後方向に延在形成されており、回転軸線ＣＬ２とは反対側（外方）に凸となる外凸姿勢で配設されている。
軸部４ｂは、湾曲部４ａの一方の端部側から外方に延出した首部４ｂ１により連結し、湾曲部４ａに対し、回転軸線ＣＬ２から離れる方向にずれた位置で前後方向に延びる軸として設けられている。
舌部４ｃは、湾曲部４ａの一方の端部に接続し前後方向に延びる平板状に形成されている。
フランジ部４ｄは、舌部４ｃの先端から外方にほぼ直角に折れ曲がった平板状の部分として形成されている。
【００２９】
可動ケーシング４の軸部４ｂは、左側板１ｅにおいて底板１ａと平行に取り付けられた支持板部６によって、回動軸線ＣＬ４のまわりに回動自在に支持されている。従って、可動ケーシング４は、湾曲部４ａが基準面Ｓｋよりも上方に位置している。
【００３０】
可動ケーシング５も、可動ケーシング４と同様に、湾曲部５ａ，軸部５ｂ，首部５ｂ１，舌部５ｃ，及びフランジ部５ｄを有する。
【００３１】
可動ケーシング５の軸部５ｂは、右側板１ｆにおいて天板１ｂと平行に取り付けられた支持板部７によって、回動軸線ＣＬ５のまわりに回動自在に支持されている。可動ケーシング５は、湾曲部５ａが基準面Ｓｋよりも下方に位置している。
【００３２】
次に、可動ケーシング４，５の回動態様について説明する。
可動ケーシング４，５は、図２に示される第１の回動位置と、図３に示される第２の回動位置と、の間を回動する。
【００３３】
第１の回動位置において、可動ケーシング４は、回動軸線ＣＬ４を中心とした図２における時計回り方向（ＤＲ２）の回動端となる位置にある。
また、可動ケーシング５は、回動軸線ＣＬ５を中心とした図２における反時計回り方向（ＤＲ３）の回動端となる位置にある。
【００３４】
第２の回動位置において、可動ケーシング４は、回動軸線ＣＬ４を中心とした図３におけると反時計回り方向（ＤＲ４）の回動端となる位置にある。
また、可動ケーシング５は、回動軸線ＣＬ５を中心とした図３における時計回り方向（ＤＲ５）の回動端となる位置にある。
【００３５】
可動ケーシング４と可動ケーシング５とは、リンク機構ＬＫ（図１参照）によって、回動方向が互いに反対となるように連動回動する。リンク機構ＬＫの詳細は後述し、先に、第１の回動位置（図２）及び第２の回動位置（図３）の詳細を説明する。
【００３６】
図２に示される可動ケーシング４の第１の回動位置で、湾曲部４ａの先端部４ａ１は、仕切り板１２の左側の端部１２ｂに対し微小隙間で対向し、仕切り板１２と実質的に連続した壁Ｗ１４を形成している。壁Ｗ１４は、その内側空間の空気の流れを案内する案内壁である。
湾曲部４ａは、根本端部４ａ２がファン２に最も接近しており、先端部４ａ１に向かうに従って、ファン２から徐々に離隔している。
【００３７】
湾曲部４ａの根本端部４ａ２は、上下方向において基準面Ｓｋとほぼ同じ位置にある。
舌部４ｃは、根本端部４ａ２から、左下方に傾斜して平板状に延びている。
フランジ部４ｄは、舌部４ｃの先端から左上方に傾斜して平板状に延びている。
これらの傾斜角度は、基準面Ｓｋに対し約４５°である。
【００３８】
図２に示される可動ケーシング５の第１の回動位置において、湾曲部５ａの先端部５ａ１は、回動軸線ＣＬ５のほぼ真下の底板１ａに近接した位置にあり、底板１ａと実質的に連続した壁Ｗ１５を形成している。壁Ｗ１５は、その内側空間の空気の流れを案内する案内壁である。
舌部５ｃは、上下方向に起立した姿勢で基準面Ｓｋを跨ぐ位置にある。
フランジ部５ｄは、舌部５ｃの先端から右方に基準面Ｓｋと平行に延びている。
【００３９】
図３に示される可動ケーシング４の第２の回動位置で、湾曲部４ａの先端部４ａ１は、回動軸線ＣＬ４のほぼ真上の天板１ｂに近接した位置にあり、天板１ｂと実質的に連続した壁Ｗ２４を形成している。壁Ｗ２４は、その内側空間の空気の流れを案内する案内壁である。
舌部４ｃは、上下方向に起立した姿勢で基準面Ｓｋを跨ぐ位置にある。
フランジ部４ｄは、舌部４ｃの先端から左方に基準面Ｓｋと平行に延びている。
【００４０】
図３に示される可動ケーシング５の第２の回動位置で、湾曲部５ａの先端部５ａ１は、仕切り板１１の右側の端部１１ｂに対し微小隙間で対向し、仕切り板１１と実質的に連続した壁Ｗ２５を形成している。壁Ｗ２５は、その内側空間の空気の流れを案内する案内壁である。
湾曲部５ａは、根本端部５ａ２がファン２に最も接近しており、先端部５ａ１に向かうに従って、ファン２から徐々に離隔している。
【００４１】
湾曲部５ａの根本端部５ａ２は、上下方向において基準面Ｓｋとほぼ同じ位置にある。
舌部５ｃは、根本端部５ａ２から、右上方に傾斜して平板状に延びている。
フランジ部５ｄは、舌部５ｃの先端から右上方に傾斜して平板状に延びている。
これらの傾斜角度は、基準面Ｓｋに対し約４５°である。
【００４２】
可動ケーシング４と可動ケーシング５とは、図１に示されるように、前板１ｃの外側に配設されたリンク機構ＬＫによって、第１の回動位置と第２の回動位置との間で同期回動する。
【００４３】
図１において、リンク機構ＬＫは、軸プレート３４，３５と、連結プレート３１と、モータＭ２と、を含んで構成されている。
【００４４】
軸プレート３４は、可動ケーシング４の軸部４ｂに固定され上下の一方向（下方）に向かって延びる部材であって、可動ケーシング４と一体に回動する。
軸プレート３５は、可動ケーシング５の軸部５ｂに固定され上下の他方向（上方）に向かって部材であって、可動ケーシング５と一体に回動する。
連結プレート３１は、軸プレート３４の先端部と軸プレート３５の先端部とをそれぞれ回動可能に連結している。
モータＭ２は、軸部４ｂ及び軸部５ｂの一方（この例では軸部５ｂ）を、所定の角度範囲で回動させる。モータＭ２の動作は制御装置によって制御される。
【００４５】
このように、連結プレート３１によって連結された軸プレート３４及び軸プレート３５が、軸部４ｂ，５ｂに対しそれぞれ上下方向の逆向きに延びる姿勢で固定され、それぞれの先端が連結プレート３１に対し回動自在に連結されている。これにより、軸部４ｂ及び軸部５ｂ、すなわち、可動ケーシング４及び可動ケーシング５は、モータＭ２によって一方の回動方向と他方の回動方向との逆の回動方向で、第１の回動位置と第２の回動位置との間を連動回動する。
【００４６】
以上、詳述した構成の送風装置５１は、ファン２を図２における時計回り方向（矢印ＤＲ１）に回転させた状態で、可動ケーシング４，５を第１の回動位置にしたときに、上向きの貫流が生じて、図２に白ヌキ矢印で示された流れ方向で送風を行うようになっている。
また、送風装置５１は、可動ケーシング４，５を第２の回動位置にしたときに、下向きの貫流が生じて、図３に白ヌキ矢印で示された、第１の回動位置の場合とは逆方向の流れ方向で送風を行うようになっている。
【００４７】
図２に示される第１の回動位置では、可動ケーシング４の舌部４ｃの先端側がファン２から大きく離隔し、可動ケーシング５の舌部５ｃが基準面Ｓｋを上下に跨いでファン２に接近した状態となる。
これにより、舌部４ｃ側の空間の気体としての空気がファン２に向かうよう誘導されて、ファン２に対し下方側の空気がファン２に吸い込まれ上方側へ抜ける貫流が生じる。
【００４８】
また、外部の空気は、開口部１ｅ１から仕切り板１１の上下両側の空間Ｖｅ１，Ｖｅ２を通って筐体１内に流入する。
空間Ｖｅ１を通った空気は、主としてファン２の左側から進入して上方へ送り出される。
一方、空間Ｖｅ２を通った空気は、壁Ｗ１５に案内されながらも、舌部５ｃによりファン２の内部右側に形成される偏心渦のため左側からの空気と合流しながらファン２に進入して上方へ送り出される。
【００４９】
ファン２を通り上方へ送出された空気は、壁Ｗ１４が形成されていることから空間Ｖｆ２には流入せず、壁Ｗ１４と、舌部５ｃ及びフランジ部５ｄと、に誘導された空間Ｖｆ１のみを通過して開口部１ｆ１から筐体１の外へ送出される。
【００５０】
図３に示される第２の回動位置では、可動ケーシング５の舌部５ｃの先端側がファン２から大きく離隔し、可動ケーシング４の舌部４ｃが基準面Ｓｋを上下に跨いでファン２に接近した状態となる。
これにより、舌部５ｃ側の空間の空気がファン２に向かうように誘導されて、ファン２に対し上方側の空気がファン２に吸い込まれ下方側へ抜ける貫流が生じる。
【００５１】
また、外部の空気は、開口部１ｆ１から仕切り板１２の上下両側の空間Ｖｆ１，Ｖｆ２を通って筐体１内に流入する。
空間Ｖｆ１を通った空気は、主としてファン２の右側から進入して下方へ送り出される。
一方、空間Ｖｆ２を通った空気は、壁Ｗ２４に案内されながらも、舌部４ｃによりファン２の内部左側に形成される偏心渦のため右側からの空気と合流しながらファン２に進入して下方へ送り出される。
【００５２】
ファン２を通り下方へ送出された空気は、壁Ｗ２５が形成されていることから、空間Ｖｅ２には流入せず、壁Ｗ２５と、舌部４ｃ及びフランジ部４ｄと、空間Ｖｅ１のみを通過して開口部１ｅ１から筐体１の外へ送出される。
【００５３】
送風装置５１は、可動ケーシング４，５の第１の回動位置と第２の回動位置とで、ファン２に対する可動ケーシング４，５の形状と位置が、回転軸線ＣＬ２まわりの１８０°線対称となっている。
また、固定ケーシングである仕切り板１１，１２の形状と位置も、回転軸線ＣＬ２まわりの１８０°線対称（２回対称）となっている。
【００５４】
これにより、第１の回動位置と第２の回動位置とにおいて流れる空気流の流路面積及び流路形状も、流れ方向は反対であるが、回転軸線ＣＬ２まわりの２回対称となる。すなわち、送風装置５１は、開口部１ｅ１，１ｆ１を通過する空気の流れ方向を反転可能であって、風向反転しても同じ送風特性が得られる。
【００５５】
送風装置５１は、固定ケーシングである仕切り板１１，１２を備えてなくてもよいが、備えることで送風特性が向上する。これについて、図６を参照して説明する。
【００５６】
図６は、送風装置５１の送風特性として風量と静圧との関係を示したグラフである。横軸は、筐体１の開口部１ｅ１，１ｆ１のうちの出口側となった開口部での風量であり、縦軸は、開口部１ｅ１と開口部１ｆ１とでの圧力差（静圧）である。グラフの特性は、実測データに基づいており、流れの方向が反転しても送風特性がほぼ一致することを確認している。
【００５７】
図６のグラフにおいて、送風装置５１が、固定ケーシングである仕切り板１１，１２を両方備えていない場合の特性が破線で示されている。
また、送風装置５１が、仕切り板１１，１２を両方備えてファン２に対する空気の入口側（上流側）と出口側（下流側）のいずれの側にも固定ケーシングが配置される場合の特性が実線で示されている。
また、送風装置５１が、ファン２に対する入口側（上流側）のみ、及び出口側（下流側）のみに固定ケーシングを備える場合の特性が、それぞれ一点鎖線及び二点鎖線で示されている。
【００５８】
図６から明らかなように、仕切り板１１，１２の両方を備えた場合（実線）、両方とも備えない場合（破線）と比較して、いずれの風量においても高い静圧が得られ、良好な送風特性が発揮される。
【００５９】
また、ファン２に対する空気の入口側のみに固定ケーシングが配置された場合(一点鎖線)も、出口側のみに固定ケーシングが配置された場合（二点鎖線）も、いずれも両方とも備えない場合と比較して、いずれの風量においても高い静圧が得られている。
また、固定ケーシングを一方に配置する場合は、入口側よりも出口側に備えることで、広い風量範囲で高い静圧が得られ送風特性が向上することがわかる。
【００６０】
これらにより、送風装置５１としては、ファン２に対する空気の入口側（上流側）及び出口側（下流側）の少なくとも一方に固定ケーシングを配置することが、静圧が高く得られて送風特性が向上するので好ましい。
【００６１】
また、送風装置５１は風向反転が可能であるから、入口側及び出口側の一方の側にのみ固定ケーシングを配置する場合は、主たる流れ方向における下流側に固定ケーシングを配置することが望まれる。
【００６２】
送風装置５１は、内外の空気の出入り口となる開口部１ｅ１と開口部１ｆ１とを、それぞれ対向側面である左側面と右側面とに配置し、筐体１内の空気の流れを、壁Ｗ１４，Ｗ１５，Ｗ２４，Ｗ２５によって対向側面から出入りするように誘導している。
そのため、筐体１に出入りする空気の流れ方向が一方向（左右方向など）に揃い、送風装置５１の設置に必要な空間がコンパクトになる。
【００６３】
これにより、例えば図７（ａ）に示されるように、既設の直状のダクト９１に、強制送風すべく送風装置５１を設置する場合、図７（ｂ）に示されるように、直状のダクト９１をダクト９１Ａとダクト９１Ｂとに分割し、両者の間に、送風装置５１をダクト９１としての直線性を維持したまま挿入設置することができる。
また、新たに送風装置５１とダクト９１Ａ，９１Ｂとを設置する場合も、直線性を維持し、横断面積が小さい省スペースで設置できる。
そのため、送風装置５１の施工は容易である。
【００６４】
送風装置５１において、仕切り板１１と仕切り板１２とを、底板１ａ及び天板１ｂと平行、又は平行に近い姿勢で配置することにより、筐体１に出入りする空気の流れ方向を底板１ａ及び天板１ｂに平行な一方向に良好に揃えられる。
これにより、筐体１とダクトとの間の空気の流れがより低抵抗になる。
そのため、送風装置５１は、筐体１にダクトを接続した場合も、風向によらず、損失の少ない良好な送風特性が得られる。
【００６５】
また、送風装置５１は、仕切り板１１，１２を備えることで、ファン２に流入する空気の量が周方向で平均化されており、送風特性が向上している。
【００６６】
具体的には、例えば、可動ケーシング４，５が図２に示される第１の回動位置にあって仕切り板１１が空気の取り込み側となった場合、仕切り板１１の上方側の空間Ｖｅ１から筐体１内に流入した空気は、ファン２の手前側（左方）に誘導される。一方、仕切り板１１の下方側の空間Ｖｅ２から筐体１内に流入した空気は、仕切り板１１によってファン２の奥の方（右方）へ誘導される。
このように、ファン２に流入する空気の量が、ファン２の周方向で偏りにくく平均化される。
特に、開口部１ｅ１，１ｆ１の図２における上下方向の幅（開口高さ）が大きい場合、空気を筐体１の奥側にも良好に誘導でき、乱流の発生を抑制して送風特性が向上する。  
【００６７】
実施例の送風装置５１は、上述した構成に限定されるものではなく、本発明の要旨を逸脱しない範囲において変形例としてもよい。
【００６８】
可動ケーシング４及び可動ケーシング５、支持板部６及び支持板部７、並びに、仕切り板１１及び仕切り板１２のいずれかは、孔や切り込みのない板状でなくてもよい。実質的に空気の流れを規制又は誘導する機能を発揮すれば、一部に開口や切り込みを有していてもよい。
【００６９】
送風装置５１は、固定ケーシングである仕切り板１１，１２を入口側と出口側とに一枚ずつ備えたものとして説明したが、少なくとも一方側を複数枚にしてもよい。
仕切り板を複数枚備えた変形例として、仕切り板を二枚ずつ備えた送風装置５２を、図４及び図５を参照して説明する。送風装置５１は、送風装置５１に対し、仕切り板のみ異なるので、仕切り板以外の部材の符号は共通とする。
【００７０】
図４は、送風装置５２における可動ケーシング４，５の第１の回動位置を示す図であり、図２と比較可能な図である。図５は、可動ケーシング４，５の第２の回動位置を示す図であり、図３と比較可能な図である。
【００７１】
送風装置５２は、仕切り板１１の替わりに上下方向に離隔配置された二枚の仕切り板１１Ａ，１１Ｂと、仕切り板１２の替わりに上下方向に離隔配置された二枚の仕切り板１２Ａ，１２Ｂと、を有する。
仕切り板１１Ａ，１１Ｂにより、開口部１ｅ１近傍の内部空間は、上下方向に空間Ｖｅ１Ａ〜Ｖｅ１Ｃの三つの空間に分割される。
仕切り板１２Ａ，１２Ｂにより、開口部１ｆ１近傍の内部空間は、上下方向に空間Ｖｆ１Ａ〜Ｖｆ１Ｃの三つの空間に分割される。
【００７２】
仕切り板１１Ａ及び仕切り板１１Ｂ、並びに、仕切り板１２Ａ及び仕切り板１２Ｂは、底板１ａ及び天板１ｂと平行に形成される。
【００７３】
図４に示される、可動ケーシング４の第１の回動位置において、可動ケーシング４は、仕切り板１２Ａ，１２Ｂの内の、ファン２に近い方の仕切り板１２Ａの左端部１２Ａｂに近接対向して実質的に連続した壁Ｗ３４を形成する。
一方、図５に示される、可動ケーシング５の第２の回動位置において、可動ケーシング５は、仕切り板１１Ａ，１１Ｂの内の、ファン２に近い方の仕切り板１１Ａの右端部１１Ａｂに近接対向して実質的に連続した壁Ｗ４５を形成する。
【００７４】
開口部１ｅ１，１ｆ１の上下方向の幅（開口高さ）を大きくできる場合は、ファン２の下流側又は上流側に複数の仕切り板を備えて空間Ｖｅ又は空間Ｖｆを出入りする空気の流路を複数形成する送風装置５２にしてもよい。
送風装置５２は、開口部１ｅ１，１ｆ１の開口高さが大きくても、仕切り板１１Ａ，１１Ｂ及び仕切り板１２Ａ，１２Ｂによる流路分割によって、開口部１ｅ１，１ｆ１から出入りする空気の流れが安定しスムースになるので、送風特性が向上した状態で維持される。
【００７５】
送風装置５１及び送風装置５２は、可動ケーシング４，５の回動を、モータＭ２ではなく手動で行えるように構成してもよい。
【００７６】
送風装置５１及び送風装置５２は、気体を筐体１の一方側から吸い込み対向する他方側から送出する装置であって、送出する気体は空気に限定されず、他の気体雰囲気内でも動作可能である。
【符号の説明】
【００７７】
１  筐体
１ａ  底板、    １ｂ  天板、    １ｃ  前板、    １ｄ  後板
１ｅ  左側板、    １ｅ１  開口部、    １ｆ  右側板、    １ｆ１  開口部
２  クロスフローファン（ファン）、    ２ａ  羽根部
３  軸受け
４，５  可動ケーシング
４ａ，５ａ  湾曲部、    ４ａ１，５ａ１  先端部
４ａ２，５ａ２  根本端部、    ４ｂ，５ｂ  軸部
４ｂ１，５ｂ１  首部、    ４ｃ，５ｃ  舌部、    ４ｄ，５ｄ  フランジ部
６，７  支持板部
１１，１２，１１Ａ，１１Ｂ，１２Ａ，１２Ｂ  仕切り板
１１ａ，１１ｂ，１２ａ，１２ｂ  端部
３１  連結プレート、    ３４，３５  軸プレート
５１，５２  送風装置
９１，９１Ａ，９１Ｂ  ダクト
ＣＬ２  回転軸線、    ＣＬ４，ＣＬ５  回動軸線
ＬＫ  リンク機構
Ｍ１，Ｍ２  モータＳｋ  基準面
Ｖｅ，Ｖｆ，Ｖｅ１，Ｖｅ２，Ｖｆ１，Ｖｆ２，Ｖｅ１Ａ〜Ｖｅ１Ｃ，Ｖｆ１Ａ〜Ｖｆ１Ｃ  空間
Ｗ１４，Ｗ１５，Ｗ２４，Ｗ２５，Ｗ３４，Ｗ４５  壁
【図１】
0006674311.tif 000002
【図２】
0006674311.tif 000003
【図３】
0006674311.tif 000004
【図４】
0006674311.tif 000005
【図５】
0006674311.tif 000006
【図６】
0006674311.tif 000007
【図７】
0006674311.tif 000008